(57)【要約】【課題】  装置の省スペース化、画像乱れの防止、ラップ領域により確実に振動を伝えることによる転写効率の向上を実現することができる画像形成装置及び画像形成方法を提供する。【解決手段】  トナー画像を担持する第一像担持体及び第二像担持体と、  第一像担持体と第二像担持体とが重なり合うラップ領域において第一像担持体上のトナー画像を第二像担持体へ転写する転写手段と、  当該ラップ領域に担持体の回転軸と平行方向に振動を与える加振手段とを有する。  第一像担持体と第二像担持体とが重なり合うラップ領域において第一像担持体上のトナー画像を第二像担持体へ転写する転写工程を有する画像形成方法であって、  当該ラップ領域に担持体の回転軸と平行方向に振動を付与する。【選択図】          図２
2005265946.tif 000002
【特許請求の範囲】
【請求項１】
トナー画像を担持する第一像担持体及び第二像担持体と、
第一像担持体と第二像担持体とが重なり合うラップ領域において第一像担持体上のトナー画像を第二像担持体へ転写する転写手段と、
当該ラップ領域に担持体の回転軸と平行方向に振動を与える加振手段とを有する画像形成装置。
【請求項２】
前記第一像担持体はロール状であり、
前記第二像担持体はベルト状又はシート状であり、
前記転写手段は第二像担持体を挟み第一像担持体に押圧する転写ロールを備え、
前記加振手段は当該第一像担持体又は当該転写ロールに振動を与える請求項１に記載の画像形成装置。
【請求項３】
前記第一像担持体はベルト状であり、
当該第一像担持体を支持する第一支持ロール及び第二支持ロールを備え、
前記第二像担持体はベルト状又はシート状であり、
前記転写手段は当該第二像担持体を挟み当該第一支持ロール及び第二支持ロール間の第一像担持体に押圧する転写ロールを備え、
前記加振手段は当該第一支持ロール又は当該転写ロールに振動を与える請求項１に記載の画像形成装置。
【請求項４】
前記第一像担持体はベルト状であり、
当該第一像担持体を支持する支持ロールを備え、
前記第二像担持体はベルト状又はシート状であり、
前記転写手段は第一像担持体及び第二像担持体を挟み当該支持ロール押圧する転写ロールを備え、
前記加振手段は当該支持ロール又は当該転写ロールに振動を与える請求項１に記載の画像形成装置。
【請求項５】
第一像担持体と第二像担持体とが重なり合うラップ領域において第一像担持体上のトナー画像を第二像担持体へ転写する転写工程を有する画像形成方法であって、
当該ラップ領域に担持体の回転軸と平行方向に振動を付与してなることを特徴とする画像形成方法。
【発明の詳細な説明】
【技術分野】
【０００１】
本発明は、記録媒体上に画像を形成する電子写真方式の画像形成装置に関し、特に転写技術の改良に係る。
【背景技術】
【０００２】
【特許文献１】特開平４−２３４０７７号公報
【特許文献２】特開平９−６２１１５号公報
【０００３】
従来から、複写機やレーザプリンタには、電子写真方式の画像形成装置が広く用いられている。電子写真方式の画像形成装置は、例えば表面に感光体層を有する像担持体表面を均一に帯電する帯電工程、帯電された像担持体表面に像光を照射することにより静電潜像を形成する露光工程、その静電潜像にトナーを付着させてトナー像を形成する現像工程、そのトナー像を記録媒体に転写する転写工程、記録媒体上にトナー像を定着させる定着工程、転写工程で像担持体上に残留したトナーを除去するクリーニング工程等を経ることにより記録媒体上に順次画像を形成している。
【０００４】
転写工程に用いる転写手段としては、転写ロールを用いたバイアスロール転写方式が知られており、バイアスロール転写方式においては転写ロールを像担持体に圧接してニップ部を形成し、そのニップ部に記録媒体を通過させるとともに、記録媒体の裏側からバイアス電圧を印加することによりトナー像を記録媒体上に転写する。
【０００５】
像担持体上のトナー像を構成するトナー粒子は所定の電荷に帯電しているので、バイアス電圧の印加によってその帯電トナー粒子にはクーロン力が作用し記録媒体に転移する。一方、トナー粒子には、クーロン力とは逆向きの、ファンデルワールス力や液架橋力等が作用することにより像担持体にトナーが付着しているので、転写時にはこれらの付着力がトナー粒子の転移を妨げる作用をする。転写バイアス電圧を高くしてクーロン力を強く作用させればトナーの転移は促進されるが、反面、電界強度が高くなり、空隙における放電開始点を超えると放電が発生しトナーの極性反転等を引き起こすので却って転写率が低下したり、白抜け等の画像欠陥を発生させてしまうという問題がある。
【０００６】
この問題を回避しつつ高転写率を得るには、ファンデルワールス力や液架橋力等による付着力を低減する方法が考えられる。
【０００７】
例えば、非接触式のコロナ発生装置を用いた転写部材において、ベルト状の電荷保持部材の、トナー像が形成された面の裏側に上下に振動エネルギー発生する共振器などを設けて、電荷保持部材に振動エネルギーを加えることにより、トナー像のシートへの転写を支援するもので、付着力のうちファンデルワールス力や液架橋力はトナーが像担持体に密着している状態では大きな付着力として作用するが、機械的振動を受けると付着力が急激に弱くなることを利用するものである（特許文献１参照）。また、加振手段を像担持体ドラムの内部や記録媒体側に設けたものがある（特許文献２参照）。
【発明の開示】
【発明が解決しようとする課題】
【０００８】
しかしながら、これらの技術には未だ次のような課題が存在する。第一に、転写装置全体を振動させることから装置が大掛かりとなりがちである。第二に、画像歪みが発生する危険から感光体側には振動を与えることができない。第三に、ベルト状部材のラップ領域で転写する場合にはベルト状部材に振動が吸収されてしまい、効果的にラップ領域に振動を伝えることができず、転写性が不充分となっている。
【０００９】
本発明はこのような技術的課題に鑑みてなされたものであり、その目的は、装置の省スペース化、画像乱れの防止、ラップ領域により確実に振動を伝えることによる転写効率の向上を実現することができる画像形成装置を提供することにある。
【課題を解決するための手段】
【００１０】
本発明は、トナー画像を担持する第一像担持体及び第二像担持体と、第一像担持体と第二像担持体とが重なり合うラップ領域において第一像担持体上のトナー画像を第二像担持体へ転写する転写手段と、当該ラップ領域に担持体の回転軸と平行方向に振動を与える加振手段とを有する画像形成装置である。また本発明は、第一像担持体と第二像担持体とが重なり合うラップ領域において第一像担持体上のトナー画像を第二像担持体へ転写する転写工程を有する画像形成方法であって、当該ラップ領域に担持体の回転軸と平行方向に振動を付与してなる画像形成方法でもある。ここで、第一像担持体は感光体であってもよいし、中間転写体であってもよい。また第二像担持体は中間転写体であってもよいし、最終転写体（用紙などの記録媒体）であってもよいし、最終転写体を搬送する搬送体であってもよい。さらに、第一像担持体が一次中間転写体であり、第二像担持体が二次中間転写体であってもよい。なお、感光体や中間転写体の形状としては、ロール状、（無端）ベルト状のものが挙げられる。最終転写体の形状としては、シート状のものが挙げられる。そして、前記第一像担持体と前記第二像担持体のうち、少なくとも一方はベルト状とすることができる。そして、前記加振手段は、第一像担持体又は第二像担持体を振動させてもよいし、第一像担持体又は第二像担持体を介して前記ラップ領域に対峙する部材を振動させてもよい。
【００１１】
また本発明のより具体的な構成の一つとしては、前記第一像担持体はロール状であり、前記第二像担持体はベルト状又はシート状であり、前記転写手段は第二像担持体を挟み第一像担持体に押圧する転写ロールを備え、前記加振手段は当該第一像担持体又は当該転写ロールに振動を与える画像形成装置とすることができる。また、第一像担持体は第二像担持体に面接触するものでもよい。さらに、転写ロールは第二像担持体に面接触するものでもよい。また、前記転写手段は、第二像担持体を支持する転写補助ロールを備え、当該転写補助ロールと前記転写ロールとで前記ラップ領域を形成することができる。なお、前記転写補助ロールは第一像担持体に押圧してもよいし、第一像担持体に押圧しなくてもよい。
【００１２】
また本発明のより具体的な構成の他の一つとしては、前記第一像担持体はベルト状であり、当該第一像担持体を支持する第一支持ロール及び第二支持ロールを備え、前記第二像担持体はベルト状又はシート状であり、前記転写手段は当該第二像担持体を挟み当該第一支持ロール及び第二支持ロール間の第一像担持体に押圧する転写ロールを備え、前記加振手段は当該第一支持ロール又は当該転写ロールに振動を与える画像形成装置とすることができる。また、第一支持ロールは第一像担持体に面接触するものでもよい。さらに、転写ロールは第二像担持体に面接触するものでもよい。ここで、前記転写ロールは、第一像担持体及び第二像担持体を挟み第一支持ロールに押圧することができる。なお、前記第一支持ロールは、前記第二支持ロールに対して、プロセス方向上流側に存在してもよい。
【００１３】
また本発明のより具体的な構成の他の一つとしては、前記第一像担持体はベルト状であり、当該第一像担持体を支持する支持ロールを備え、前記第二像担持体はベルト状又はシート状であり、前記転写手段は第一像担持体及び第二像担持体を挟み当該支持ロール押圧する転写ロールを備え、前記加振手段は当該支持ロール又は当該転写ロールに振動を与える画像形成装置とすることができる。また、支持ロールは第一像担持体に面接触するものでもよい。さらに、転写ロールは第二像担持体に面接触するものでもよい。ここで、前記転写手段は、第二像担持体を支持する転写補助ロールを備え、当該転写補助ロールと前記転写ロールとで前記ラップ領域を形成することができる。
【００１４】
これらの発明において、前記加振手段は、担持体の回転軸と平行方向、いいかえれば、プロセス方向に対して直交する方向に振動を与えるものである。また、前記加振手段は、振動を発生する振動源部と、当該振動源部から前記ラップ領域にまで振動を伝える振動伝達部とを備え、当該振動伝達部はジョイント機構を有するものでもよい。なお、前記転写ロールには、第一像担持体上のトナー画像を第二像担持体へ静電転写するための転写バイアスが印加されてもよい。また、前記トナー画像を構成するトナーの体積平均粒径は、8[μｍ]以下、より好ましくは  5[μｍ]以下とすることができる。
【発明の効果】
【００１５】
この発明によれば、装置の省スペース化、画像乱れの防止、ラップ領域により確実に振動を伝えることによる転写効率の向上を実現することができる画像形成装置及び画像形成方法を提供することができる。
【発明を実施するための最良の形態】
【００１６】
実施形態１
図１は、実施形態１に係るフルカラープリンタ（画像形成装置）９の断面概略図である。まず、このフルカラープリンタの基本的な構成を説明する。このフルカラープリンタの主要部は、イエロー、シアン、マゼンタ、ブラックの各色に対応する画像形成ユニット１Ｙ〜Ｋと、各画像形成ユニット１に対峙する中間転写部２とから構成されている。図２は、一の画像形成ユニット１の断面概略図である。
【００１７】
各画像形成ユニット１は、感光体ドラム（第一像担持体）１０と、その感光体ドラム１０の周囲に帯電ロール１１、露光装置１２、現像装置１３、感光体ドラム用クリーニング装置１４、中間転写ベルト２０を挟んで感光体ドラム１０に圧接する一次転写ロール２１、一次転写後の中間転写ベルト２０の姿勢を支持する補助一次転写ロール２２などを備えている。また中間転写部２は、中間転写ベルト（第二像担持体）２０と、その中間転写ベルト２０を張架する第一〜第三回転ロール２３〜２６、第二回転ロール２４と中間転写ベルト２０を挟んで圧接する二次転写ロール２５を備えている。
【００１８】
次に、このフルカラープリンタ９の基本的な動作を説明する。各画像形成ユニット１では、感光体ドラム１０は、図中矢印Ａの方向に回転駆動されている。また、帯電ロール１１には帯電バイアスが印加されており、感光体ドラム１０の表面を一様に帯電する。そして、図示しないパーソナルコンピュータから送信される画像形成命令、又は図示しないスキャナ装置から入力される画像情報を解釈、画像処理し、その画像形成命令や画像情報に応じた露光装置１２はレーザービームを感光体ドラム１０表面に照射する。このレーザービームが照射された部分と照射されなかった部分とにより感光体ドラム表面に電位差が生じ、それが静電潜像を構成する。その静電潜像は、現像装置１３によりトナーで現像されトナー画像（顕像）となる。そして、一次転写位置、つまり感光体ドラム１０の表面と中間転写ベルト２０との表面が接触するラップ領域Ｒにおいて、感光体ドラム１０と一次転写ロール２１との間に生じる一次転写電界の作用により、トナー画像は感光体ドラム１０から中間転写ベルト２０へと一次転写される。また、一次転写されなかった残留トナーは、感光体ドラム用クリーニング装置１４により除去される。
【００１９】
中間転写ベルト２０は、図中矢印Ｂの方向に回転駆動している。そして、各画像形成ユニット１Ｙ〜Ｋからは、イエロー、マゼンタ、シアン、ブラックの各色のトナー画像が中間転写ベルト２０上で重ね合わされ、フルカラートナー画像が形成される。その一次転写されたフルカラートナー画像は、中間転写ベルト２０の回転とともに二次転写位置Ｔ２に達する。二次転写位置Ｔ２にトナー画像が到達するタイミングに同期して、図示しない記録シートトレイから二次転写位置Ｔ２へ記録シートが搬送される。そして、二次転写位置Ｔ２において、中間転写ベルト２０と二次転写ロール２５との間に生じる二次転写電界の作用により、フルカラートナー画像は中間転写ベルト２０から記録シートへと二次転写される。その後、図示しない定着装置により、記録シート上のフルカラートナー画像は熱と圧力との作用により定着される。
【００２０】
ところで、高画質のフルカラー画像を得るための一つの条件として、一次転写、二次転写における転写効率を向上させることが挙げられる。本発明では、（一次転写における）転写効率を向上させることで高画質の画像を得るべく、次のような構成を採用している。以下、この構成及び作用を実施例として説明する。
【００２１】
実施例１
図２に示すように、本実施例ではロール状の感光体ドラム１０に沿って無端ベルト状の中間転写ベルト２０が巻き付いており、感光体ドラム１０表面と中間転写ベルト２０表面とが接触するラップ領域Ｒが形成されている。さらに、感光体ドラム１０は中間転写ベルト２０にラップ領域Ｒにおいて面接触されており、一次転写ロール２１は中間転写ベルト２０にラップ領域Ｒの上流側で面接触されている。そして、本実施例では、ラップ領域Ｒを形成する感光体ドラム１０と中間転写ベルト２０を介してラップ領域Ｒに対峙する一次転写ロール２１との片方または両方を振動させるように構成されている。なお、ラップ領域Ｒに対して中間転写ベルト２０の回転方向下流側には、中間転写ベルト２０の姿勢を支持する補助一次転写ロール２２が配設されている。
【００２２】
図３は、一次転写ロール２１及び／又は感光体ドラム１０を振動させる構成を説明するものである。同図に示すように、バイブレータ（振動源部）４０と、第一伝達軸（振動伝達部）４２と、ジョイント機構（振動伝達部）４１と、第二伝達軸（振動伝達部）４３とにより、一次転写ロール２１（感光体ドラム１０）を振動させるよう構成されている。すなわち、バイブレータ４０からの振動は、第一伝達軸４２、ジョイント機構４１、第二伝達軸４３を経て一次転写ロール２１（感光体ドラム１０）を振動させ、最終的には感光体ドラム１０と中間転写ベルト２０とのラップ領域Ｒを振動させる。また、振動の方向としては、一次転写ロール２１（感光体ドラム１０）の回転軸方向（図中Ｘ方向）、中間転写ベルト２０の移動方向（図中Ｙ方向）、これら回転軸方向及び移動方向に直交する方向（図中Ｚ方向）の何れでもよいし、これらの組み合わせでもよい。但し、その振動方向は、少なくとも回転軸方向成分を含むことが必要である。好ましくは、回転軸方向のみに振動することがより好ましい。なお、ジョイント機構４１を介しても第一伝達軸の振動は第二伝達軸に伝わるが、ジョイント機構４１を介することにより、一次転写ロール２１（感光体ドラム１０）の回転は、少なくとも第一伝達軸には伝わらない。また、バイブレータ４０の具体的構成は、例えば、積層型圧電素子の伸縮により振動を起こすもの、板バネをソレノイドで振動させることにより往復運動を起こすもの、永久磁石とコイルとを組み合わせたリニアアクチュエータなどを用いることができる。
【００２３】
このように本実施例では、一次転写ロール２１のみ、感光体ドラム１０のみを振動させることができるため、装置の省スペース化を図ることが出来る。またこの実施例では、一次転写ロール２１のみを振動させ、感光体ドラム１０を振動させないことにより画像乱れの防止を図ることができる。さらに、この実施例ではラップ領域Ｒにより確実に振動を伝えることができるため、トナーと感光体ドラム１０との付着力を低減することができ、その結果、転写効率の向上を図ることができる。ところで、トナー画像の高画質化のためにはトナー画像を構成するトナーの粒径を小さくすることが有効であるが、その反面、粒径の小さいトナー（体積平均粒径が5μm以下のもの、具体的には体積平均粒径が3.5μmのもの）は粒径の大きいトナーに比べ転写効率が低い。したがって、本実施例による転写効率の向上は、より小さい粒径のトナーの使用を可能とする点でも高画質化に寄与する。
【００２４】
実施例２
図４に示すように、本実施例では一次転写ロール２１に押圧される無端ベルト状の中間転写ベルト２０に沿って無端ベルト状の感光体ベルト１０が巻き付いており、感光体ベルト１０表面と中間転写ベルト２０表面とが接触するラップ領域Ｒが形成されている。感光体ベルト１０は、ラップ領域Ｒの感光体ベルト１０の移動方向上流側と下流側にそれぞれ第一支持ロール１０ａ及び第二支持ロール１０ｂを有しており、いずれも感光体ベルト１０を支持している。さらに、第一支持ロール１０ａはラップ領域Ｒ及びラップ領域よりも上流側領域において感光体ベルト１０と面接触し、一次転写ロール２１はラップ領域Ｒ内で中間転写ベルト２０と面接触している。そして、本実施例では、感光体ベルト１０を介してラップ領域Ｒに対峙する第一支持ロール１０ａと中間転写ベルト２０を介してラップ領域Ｒに対峙する一次転写ロール２１との片方又は両方を振動させるように構成されている。なお、第一支持ロール１０ａや一次転写ロール２１を振動させる具体的な構成は図３に示した実施例１のものと同様であるためのその説明は省略する。
【００２５】
このように本実施例では、一次転写ロール２１のみ、第一支持ロール１０ａのみを振動させることができるため、装置の省スペース化を図ることが出来る。またこの実施例では、感光体ベルト１０を直接振動させないため画像乱れの防止を図ることができる。さらに、この実施例ではラップ領域Ｒにより確実に振動を伝えることができるため、トナーと感光体ベルト１０との付着力を低減することができ、その結果、転写効率の向上を図ることができる。また実施例１と同様に、より小さい粒径のトナーの使用を可能とする点でも高画質化に寄与する。
【００２６】
実施例３
図５に示すように、本実施例では支持ロール１０ａに押圧される無端ベルト状の感光体ベルトに沿って無端ベルト状の中間転写ベルト２０が巻き付いており、感光体ベルト１０表面と中間転写ベルト２０表面とが接触するラップ領域Ｒが形成されている。なお、ラップ領域Ｒに対して中間転写ベルト２０の回転方向下流側には、中間転写ベルト２０の姿勢を支持する補助一次転写ロール２２が配設されている。さらに、支持ロール１０ａはラップ領域Ｒ及びラップ領域よりも上流側領域と下流側領域において感光体ベルト１０と面接触し、一次転写ロール２１はラップ領域Ｒよりも上流側領域で中間転写ベルト２０と面接触している。そして、本実施例では、感光体ベルト１０を介してラップ領域Ｒに対峙する支持ロール１０ａと中間転写ベルト２０を介してラップ領域Ｒに対峙する一次転写ロール２１との片方又は両方を振動させるように構成されている。なお、支持ロール１０ａや一次転写ロール２１を振動させる具体的な構成は図３に示した実施例１のものと同様であるためのその説明は省略する。
【００２７】
このように本実施例では、一次転写ロール２１のみ、支持ロール１０ａのみを振動させることができるため、装置の省スペース化を図ることが出来る。またこの実施例では、感光体ベルト１０を直接振動させないため画像乱れの防止を図ることができる。さらに、この実施例ではラップ領域Ｒにより確実に振動を伝えることができるため、トナーと感光体ベルト１０との付着力を低減することができ、その結果、転写効率の向上を図ることができる。また実施例１と同様に、より小さい粒径のトナーの使用を可能とする点でも高画質化に寄与する。
【００２８】
比較例
図６、図７はそれぞれ比較例を説明するものである。図６は、比較例１を説明するものであり、この比較例では、支持ロール１１１に支持される無端ベルト状の感光体ベルト１１０と、一次転写ロールに支持される無端ベルト状の中間転写ベルト１２０とは、一方が他方に巻き付く関係になく、実質的にラップ領域が存在しない。したがって、十分にラップ領域Ｒを確保する場合（実施例１〜実施例３参照）に比べて、転写効率が低くなってしまう。図７は、比較例２を説明するものであり、この比較例では、無端ベルト状の感光体ベルト１１０は、第一支持ロール１１１、第二支持ロール１１２、第三支持ロール１１３に支持されている。そして、この感光体ベルト１１０は、第二支持ロール１１２の前後で一次転写ロール１２１に押圧される中間転写ベルト１２０に沿って巻き付いており、感光体ベルト１１０と中間転写ベルト１２０とが接触するラップ領域Ｒが形成されている。しかし、第二支持ロール１１２は感光体ベルト１１０に面接触しておらず（ラップされておらず）、一次転写ベルト１２１を振動させても、中間転写ベルト１２０とともに感光体ベルト１１０も微小移動し、両者の間にすべりが起こりにくく、期待通りの転写効率の向上は望めない。
【００２９】
実施態様２
図８は、実施形態２に係るフルカラープリンタ（画像形成装置）９の断面概略図である。まず、このフルカラープリンタの基本的な構成を説明する。このフルカラープリンタの主要部は、イエロー、シアン、マゼンタ、ブラックの各色に対応する画像形成ユニット１Ｙ〜Ｋと、各画像形成ユニット１に対峙する搬送部３とから構成されている。搬送部３は、搬送ベルト（第二像担持体）３０と、その搬送ベルト３０を張架する第一〜第三回転ロール３３〜３５などを備えている。なお、画像形成ユニット１の構成は、実施態様１のそれと同様であるのでその説明は省略する。
【００３０】
次に、このフルカラープリンタ９の基本的な動作を説明する。各画像形成ユニット１では、感光体ドラム１０は、図２中矢印Ａの方向に回転駆動されている。また、帯電ロール１１には帯電バイアスが印加されており、感光体ドラム１０の表面を一様に帯電する。そして、図示しないパーソナルコンピュータから送信される画像形成命令、又は図示しないスキャナ装置から入力される画像情報を解釈、画像処理し、その画像形成命令や画像情報に応じた露光装置１２はレーザービームを感光体ドラム１０表面に照射する。このレーザービームが照射された部分と照射されなかった部分とにより感光体ドラム表面に電位差が生じ、それが静電潜像を構成する。その静電潜像は、現像装置１３によりトナーで現像されトナー画像（顕像）となる。そして、一次転写位置、つまり感光体ドラム１０の表面と搬送ベルト３０との表面が接触するラップ領域Ｒにおいて、感光体ドラム１０と一次転写ロール２１との間に生じる一次転写電界の作用により、トナー画像は感光体ドラム１０から搬送ベルト３０上を搬送される記録シートｐへと一次転写される。また、一次転写されなかった残留トナーは、感光体ドラム用クリーニング装置１４により除去される。
【００３１】
搬送ベルト３０は、図中矢印Ｂの方向に回転駆動している。そして、各画像形成ユニット１Ｙ〜Ｋからは、イエロー、マゼンタ、シアン、ブラックの各色のトナー画像が搬送ベルト３０上を搬送される記録シートｐ上で重ね合わされ、フルカラートナー画像が形成される。その後、  図示しない定着装置により、記録シート上のフルカラートナー画像は熱と圧力との作用により定着される。
【００３２】
このような画像形成装置においても、実施形態１の実施例１〜３同様に（中間転写ベルト２０が搬送ベルト３０に代わる）、装置の省スペース化、画像乱れの防止、ラップ領域により確実に振動を伝えることによる転写効率の向上を実現することができる。
【図面の簡単な説明】
【００３３】
【図１】実施形態２を説明するものである。
【図２】実施例１を説明するものである。
【図３】加振構成を説明するものである。
【図４】実施例２を説明するものである。
【図５】実施例３を説明するものである。
【図６】比較例１を説明するものである。
【図７】比較例２を説明するものである。
【図８】実施形態２を説明するものである。
【符号の説明】
【００３４】
１０…感光体ドラム（第一像担持体）、感光体ベルト（第一像担持体）、１０ａ…（第一）支持ロール、１０ｂ…第二支持ロール、２０…中間転写ベルト（第二像担持体）、２１…一次転写ロール（転写ロール）、２２…補助一次転写ロール、３０…搬送ベルト（第二像担持体）、Ｒ…ラップ領域、４０…バイブレータ（振動源部）、４２…第一伝達軸（振動伝達部）、４１…ジョイント機構（振動伝達部）、４３…第二伝達軸（振動伝達部）
【図１】
2005265946.tif 000003
【図２】
2005265946.tif 000004
【図３】
2005265946.tif 000005
【図４】
2005265946.tif 000006
【図５】
2005265946.tif 000007
【図６】
2005265946.tif 000008
【図７】
2005265946.tif 000009
【図８】
2005265946.tif 000010